(57)【要約】【課題】裏面の検出部の位置を操作者にとってわかりやすくする【解決手段】電子機器は、機器本体の第１面の反対面となる第２面の検出領域内に配置される複数の操作領域に対する操作をそれぞれ検出する操作検出部と、複数の操作領域の位置にそれぞれ対応する第１面に配置される表示面内の位置に、操作領域の位置を示す情報をそれぞれ表示する表示部とを備える。【選択図】図１
2014164643.tif 000002
【特許請求の範囲】
【請求項１】
機器本体の第１面の反対面となる第２面の検出領域内に配置される複数の操作領域に対する操作をそれぞれ検出する操作検出部と、
複数の前記操作領域の位置にそれぞれ対応する前記第１面に配置される表示面内の位置に、前記操作領域の位置を示す情報をそれぞれ表示する表示部と
を備えることを特徴とする電子機器。
【請求項２】
複数の前記操作領域は、
自電子機器が把持された場合に、前記第２面を把持する複数の指の位置に応じた位置にそれぞれ配置され、
前記操作検出部は、
前記第２面を把持する複数の指の位置に応じた位置にそれぞれ配置される複数の前記操作領域に対する操作をそれぞれ検出する
ことを特徴とする請求項１に記載の電子機器。
【請求項３】
前記表示部は、
前記第２面に配置される複数の前記操作領域の位置に応じた前記表示面内の位置に、前記操作領域を示す情報をそれぞれ表示する
ことを特徴とする請求項２に記載の電子機器。
【請求項４】
前記第２面を把持する複数の指の位置をそれぞれ検出する位置検出部と、
前記位置検出部が検出した前記第２面を把持する複数の指の位置に基づいて、複数の前記操作領域の位置をそれぞれ設定する位置設定部と
を備えることを特徴とする請求項２または請求項３に記載の電子機器。
【請求項５】
複数の前記操作領域を操作する複数の指の種類をそれぞれ検出する種類検出部と、
種類検出部が検出した複数の前記操作領域を操作する指の種類に基づいて、前記操作領域に割り当てる操作の種類を設定する種類設定部と
を備えることを特徴とする請求項２から請求項４のいずれか一項に記載の電子機器。
【請求項６】
前記操作領域を操作する指の数を検出する数検出部を備え、
前記種類設定部は、
数検出部が検出した前記操作領域を操作する指の数に基づいて、前記操作領域に割り当てる操作の種類を設定する
ことを特徴とする請求項５に記載の電子機器。
【請求項７】
前記操作領域は、
前記表示面の触感とは異なる触感の表面を有する
ことを特徴とする請求項１から請求項６のいずれか一項に記載の電子機器。
【請求項８】
第１面と、当該第１面の反対面となる第２面とを有する電子機器が備えるコンピュータに、
前記第２面の検出領域内に配置される複数の操作領域に対する操作をそれぞれ検出する操作検出ステップと、
複数の前記操作領域の位置にそれぞれ対応する前記第１面に配置される表示面内の位置に、前記操作領域の位置を示す情報をそれぞれ表示する表示ステップと、
を実行させるためのプログラム。
【発明の詳細な説明】
【技術分野】
【０００１】
本発明は、電子機器、およびプログラムに関する。
【背景技術】
【０００２】
近年、例えば、装置本体の表示面の裏面側に操作を検出する検出部を備え、操作者が当該装置本体を把持した状態においても、操作入力を可能にした入力装置がある（例えば、特許文献１を参照）。
【先行技術文献】
【特許文献】
【０００３】
【特許文献１】特開２００３−３３０６１１号公報
【発明の概要】
【発明が解決しようとする課題】
【０００４】
しかしながら、上記のような入力装置は、装置裏面の操作入力すべき位置が操作者にとってわかりにくいという問題があった。
【０００５】
本発明は、上記問題を解決すべくなされたもので、その目的は、装置裏面の操作入力すべき位置を操作者にとってわかりやすくすることができる電子機器、およびプログラムを提供することにある。
【課題を解決するための手段】
【０００６】
本発明の一実施形態は、機器本体の第１面の反対面となる第２面の検出領域内に配置される複数の操作領域に対する操作をそれぞれ検出する操作検出部と、複数の前記操作領域の位置にそれぞれ対応する前記第１面に配置される表示面内の位置に、前記操作領域の位置を示す情報をそれぞれ表示する表示部とを備えることを特徴とする電子機器である。
【０００７】
また、本発明の一実施形態は、第１面と、当該第１面の反対面となる第２面とを有する電子機器が備えるコンピュータに、前記第２面の検出領域内に配置される複数の操作領域に対する操作をそれぞれ検出する操作検出ステップと、複数の前記操作領域の位置にそれぞれ対応する前記第１面に配置される表示面内の位置に、前記操作領域の位置を示す情報をそれぞれ表示する表示ステップと、を実行させるためのプログラムである。
【発明の効果】
【０００８】
この発明によれば、裏面の検出部の位置を操作者にとってわかりやすくすることができる。
【図面の簡単な説明】
【０００９】
【図１】本発明の第１の実施形態に係る電子機器の構成の一例を示す構成図である。
【図２】本実施形態の電子機器の第１面の一例を示す構成図である。
【図３】本実施形態の電子機器の第２面の一例を示す構成図である。
【図４】本実施形態の電子機器の構成の一例を示す概略ブロック図である。
【図５】本実施形態の検出領域の構成の一例を示す構成図である。
【図６】本実施形態の検出領域の構成の一例を示す構成図である。
【図７】本実施形態の電子機器の動作の一例を示すフローチャートである。
【図８】本発明の第２の実施形態に係る電子機器の構成の一例を示す概略ブロック図である。
【発明を実施するための形態】
【００１０】
［第１の実施形態]
以下、図面を参照して、本発明の第１の実施形態を説明する。
図１は、本発明の第１の実施形態に係る電子機器１の構成の一例を示す構成図である。
【００１１】
電子機器１は、タブレット型の表示装置である。また、電子機器１は、互いに表裏の位置関係にある第１面１０１と第２面１０２とを備えている。また、電子機器１は、第１面１０１に表示面１１１を備えている。この第１面１０１の構成について、図２を参照して説明する。
【００１２】
図２は、本実施形態における電子機器１の第１面１０１の一例を示す構成図である。同図は、操作者によって第１面１０１が操作者に対面する面となるように電子機器１が把持されている状態を示している。次に、図３を参照して、第２面１０２の構成について説明する。
【００１３】
図３は、本実施形態における電子機器１の第２面１０２の一例を示す構成図である。同図は、操作者によって第２面１０２が操作者に対面する面となるように電子機器１が把持されている状態を示している。第２表示面１１２は、第２表示面１１２における接触状態を検出する操作入力用の表示面接触センサとして、接触センサ３４（検出領域）を備えている。
【００１４】
なお、以下の記述において適宜、電子機器１の操作者に対面する面を表面、その反対側の面であり操作者に対面しない面を裏面とも称する。すなわち、図１において、電子機器１は、操作者に対面している表示部２０が備えられている第１面１０１が表面であって、その反対側の面である第２面１０２が裏面である状態で、操作者によって把持されている。また、操作者は、例えば、裏面側を操作面として、第２表示面１１２に備えられている接触センサ３４により操作入力を行う。このとき、操作者は、裏面側を親指以外の他の指によって操作入力を行う。
【００１５】
次に、図４を参照して、電子機器１の構成について説明する。
図４は、本実施形態における電子機器１の構成の一例を示す概略ブロック図である。この図において図１の各部に対応する部分には同一の符号を付している。
【００１６】
電子機器１は、表示部２０、操作検出部３０、制御部５０、記憶部５、およびバス８０を備えている。
【００１７】
表示部２０は、液晶表示パネルであって、第１面１０１に配置されている表示面１１１に画像等の情報を表示する。具体的には、表示部２０は、第１面１０１に配置される表示面１１１に、複数の操作領域３６の位置を示す情報をそれぞれ表示する。すなわち、表示部２０は、第２面１０２に配置される複数の操作領域３６の位置に応じた表示面１１１内の位置に、操作領域３６を示す情報をそれぞれ表示する。この操作領域３６については、後述する。
【００１８】
操作検出部３０は、第２面１０２に配置されている接触センサ３４によって、第２表示面１１２における接触状態を検出する。すなわち、操作検出部３０は、機器本体の第１面１０１の反対面となる第２面１０２の検出領域内に配置される複数の操作領域３６に対する操作をそれぞれ検出する。また、これらの表示面接触センサは、タッチパネル方式の操作入力デバイスであって、例えば、静電容量方式の接触センサである。なお、表示面接触センサは、静電容量方式に代えて、電磁誘導方式でもよいし、赤外線方式でもよいし、表面弾性波方式でもよいし、抵抗膜方式でもよいし、マトリクス・スイッチ方式でもよい。また、表示面接触センサは、同時に複数個所の接触を検出することができる多点入力可能な、いわゆるマルチタッチパネル方式である。
【００１９】
記憶部５には、表示部２０に表示させる情報等が記憶されている。例えば、記憶部５には、表示部２０に表示させる情報として、画像、文字またはアイコン等による情報、メニュー画面等、のデータが記憶されている。この記憶部５に記憶されている情報は、制御部５０の制御によって読み出される。
【００２０】
バス８０は、表示部２０、操作検出部３０、制御部５０、および記憶部５と接続され、各部から出力された画像データ、検出信号、制御信号等を転送する。
【００２１】
制御部５０は、表示制御部５２、および操作受付制御部５３を備えている。
【００２２】
表示制御部５２は、表示部２０の表示処理を制御する。具体的には、表示制御部５２は、表示部２０が備えている各表示部に表示させる情報を選択して表示させる処理、各表示部の表示のオン（表示状態）とオフ（非表示状態）とを切り替える処理等を制御する。ここで、各表示部に表示させる情報とは、画像、文字またはアイコン等による情報、メニュー画面等、表示部に表示させる情報の何れであってもよい。
【００２３】
操作受付制御部５３は、操作検出部３０が検出する操作に対する受付処理を制御する。具体的には、操作受付制御部５３は、操作検出部３０が検出した操作を受け付けて、受け付けた操作に対応する処理を制御する。例えば、操作検出部３０が文字入力操作を検出した場合には、操作受付制御部５３は、操作検出部３０が検出した文字入力操作によって入力された文字コードを取得する。次に、操作受付制御部５３は、取得した文字コードに一致する情報（例えば、文字のフォント情報）を、バス８０を介して記憶部５から読み出す。次に操作受付制御部５３は、読み出した文字のフォント情報を表示制御部５２に供給する。表示制御部５２は、供給された情報を、表示部２０の所定の領域に表示する。
【００２４】
次に、図５を参照して、表示面１１１に表示される表示領域３５−１〜３５−１５（以下の説明においては、区別する場合を除いて、表示領域３５と総称する。）について説明する。
【００２５】
図５は、本実施形態における表示領域３５の構成の一例を示す構成図である。同図は、表面視図である。表示領域３５は、第１面１０１に配置される表示面１１１に、複数の操作領域３６の位置を示す情報として、それぞれ配置される。また、この表示領域３５とは、日本語をローマ字入力する際の子音及び母音等を表す画像に対応付けられている領域である。具体的には、表示領域３５−１とは、アルファベットのＫを表す画像に対応付けられている領域である。同様に、表示領域３５−２〜３５−９とは、それぞれ子音であるＳ、Ｔ、Ｎ、Ｈ、Ｍ、Ｙ、Ｒ、Ｗを表す画像に対応付けられている領域である。同様に、表示領域３５−１０〜３５−１５とは、それぞれ母音であるＡ、Ｉ、Ｕ、Ｅ、Ｏ、及び撥音であるＮを表す画像に対応付けられている領域である。
【００２６】
次に、図６を参照して、第２面１０２に配置される操作領域３６−１〜３６−６（以下の説明においては、区別する場合を除いて、操作領域３６と総称する。）について説明する。
【００２７】
図６は、本実施形態における操作領域３６の構成の一例を示す構成図である。同図は、裏面視図である。操作領域３６は、第１面１０１の反対面となる第２面１０２の接触センサ３４内に第２面１０２に対応する位置にして配置される。つまり、この操作領域３６とは、表示部２０が備える接触センサ３４が接触状態を検出する対象の領域である。同図に示すように、操作領域３６は、第２面１０２に対応する位置としての、機器本体を把持する操作者の指のうちの第２面１０２を把持する指の位置に対応する位置に配置される。この第２面１０２に対応する位置とは、電子機器１を把持する操作者の指のうちの親指以外の指の位置である。すなわち、複数の操作領域３６は、電子機器１が把持された場合に、第２面１０２を把持する複数の指の位置に応じた位置にそれぞれ配置される。操作検出部３０は、第２面１０２を把持する複数の指の位置に応じた位置にそれぞれ配置される複数の操作領域３６に対する操作をそれぞれ検出する。また、この操作領域３６とは、文字データを入力する際の入力モードの切り換えを示す画像に対応付けられている領域である。具体的には、操作領域３６−１とは、アルファベットを入力する際の大文字および小文字の切り換え機能を表す画像に対応付けられている領域である。また、この操作領域３６とは、日本語をローマ字入力する際の子音及び母音等を表す画像に対応付けられている領域である。具体的には、操作領域３６−１とは、アルファベットのＫを表す画像に対応付けられている領域である。同様に、操作領域３６−２〜３６−９とは、それぞれ子音であるＳ、Ｔ、Ｎ、Ｈ、Ｍ、Ｙ、Ｒ、Ｗを表す画像に対応付けられている領域である。同様に、操作領域３６−１０〜３６−１５とは、それぞれ母音であるＡ、Ｉ、Ｕ、Ｅ、Ｏ、及び撥音であるＮを表す画像に対応付けられている領域である。
【００２８】
また、操作領域３６は、表示領域３５を示す画像が表示されている表示面の触感とは異なる触感の表面を有する。具体的には、表示領域３５の表面は平坦なガラス面である。一方、操作領域３６は、表面に突起が設けられているガラス面である。なお、この突起は各操作領域３６の中央部に設けられていてもよい。また、この突起に代えて平坦なガラス面と摩擦係数が異なる面（例えば、すりガラス面）であってもよい。
【００２９】
次に、図７を参照して、電子機器１の動作の一例について説明する。図７は、本実施形態の電子機器１の動作の一例を示すフローチャートである。
【００３０】
まず、操作検出部３０は、操作者による操作を検出する（ステップＳ１０）（操作検出ステップ）。
【００３１】
次に、操作受付制御部５３は、ステップＳ１０において検出された文字入力操作によって入力された文字コードを、バス８０を介して操作検出部３０から取得する。次に、操作受付制御部５３は、取得した文字コードに一致する文字のフォントを、バス８０を介して記憶部５から読み出す。次に、操作受付制御部５３は、読み出した文字のフォント、表示制御部５２に供給する。表示制御部５２は、供給された文字のフォントを表示部２０の所定の領域に表示する（ステップＳ２０）（表示ステップ）。
【００３２】
次に、操作受付制御部５３は、操作検出部３０が文字入力終了操作を検出したか否かを判定する。ここで、操作受付制御部５３は、操作検出部３０が文字入力終了操作を検出していないと判定した場合（ステップＳ３０：ＮＯ）には、処理をステップＳ１０に戻す。一方、操作受付制御部５３は、操作検出部３０が文字入力終了操作を検出したと判定した場合（ステップＳ３０：ＹＥＳ）には、処理を終了する。
【００３３】
以上説明したように、電子機器１は、操作検出部３０と、表示部２０とを備えている。この操作検出部３０は、機器本体の第１面１０１の反対面となる第２面１０２の検出領域内に配置される複数の操作領域３６に対する操作をそれぞれ検出する。また、表示部２０は、第１面１０１に配置される表示面１１１に、複数の操作領域３６の位置を示す情報をそれぞれ表示する。これにより、電子機器１は、第２面１０２（つまり、第１面１０１の裏面）の操作検出部３０の位置を、第１面１０１に表示することができる。つまり、電子機器１は、裏面の検出部の位置を操作者にとってわかりやすくすることができる。
【００３４】
また、上述したように、複数の操作領域３６は、電子機器１が把持された場合に、第２面１０２を把持する複数の指の位置に応じた位置にそれぞれ配置される。この場合、操作検出部３０は、第２面１０２を把持する複数の指の位置に応じた位置にそれぞれ配置される複数の操作領域３６に対する操作をそれぞれ検出する。つまり、電子機器１は、把持された場合に、操作者が操作しやすい位置に、操作領域３６を配置する。これにより、電子機器１は、操作者にとって操作しやすくすることができ、操作領域３６が指の位置に応じた位置に配置されない場合に比して、操作の入力速度を向上させることができる。
【００３５】
［第２の実施形態]
以下、図面を参照して、本発明の第２の実施形態を説明する。なお、上述した第１の実施形態と同様の構成については、同一の符号を付して説明を省略する。
【００３６】
図８は、本発明の第２の実施形態に係る電子機器１ａの概略構成の一例を示す構成図である。電子機器１ａは、記憶部５ａと、位置検出部３１と、種類検出部３２と、数検出部３３と、制御部５０ａとを備えている。
【００３７】
記憶部５ａには、第２面１０２を把持する複数の指の位置のパターンを示す情報が、複数のパターン毎に、予め記憶されている。一例として、記憶部５ａには、第２面１０２を両手の人差し指から小指までの８本の指で把持する指の位置のパターンを示す情報が記憶されている。また、記憶部５ａには、第２面１０２を両手の人差し指及び中指の４本の指で把持する指の位置のパターンを示す情報が記憶されている。
【００３８】
また、記憶部５ａには、指の種類を示す情報と、指の種類毎の操作の特徴を示す情報とが関連付けられて記憶されている。具体的には、記憶部５ａには、人差し指から小指までの各指の種類を示す情報が、各指の種類毎に設定される接触圧を示す情報と関連付けられて記憶されている。一例として、記憶部５ａには、人差し指を示す情報が、最も高い接触圧を示す情報と関連付けられて記憶されている。また、記憶部５ａには、小指を示す情報が、最も低い接触圧を示す情報と関連付けられて記憶されている。
【００３９】
位置検出部３１は、操作検出部３０が備える接触センサ３４の出力に基づいて、第２面１０２を把持する複数の指の位置をそれぞれ検出する。具体的には、位置検出部３１は、操作検出部３０の接触センサ３４が検出した第２表示面１１２における接触状態を示す情報を、バス８０を介して取得する。次に、位置検出部３１は、第２面１０２を把持する複数の指の位置のパターンを示す情報を、記憶部５ａからバス８０を介して複数のパターン毎に読み出す。次に、位置検出部３１は、取得した接触状態を示す情報と、読み出した指の位置のパターンを示す情報とを比較して、接触状態と一致する指の位置のパターンを検索する。次に、位置検出部３１は、検索した接触状態と一致する指の位置のパターンを、第２面１０２を把持する複数の指の位置として検出する。
【００４０】
種類検出部３２は、操作検出部３０が備える接触センサ３４の出力に基づいて、複数の操作領域３６を操作する複数の指の種類をそれぞれ検出する。具体的には、種類検出部３２は、操作検出部３０の接触センサ３４が検出した第２表示面１１２における接触状態を示す情報を、バス８０を介して取得する。次に、種類検出部３２は、指の種類を示す情報に関連付けて記憶部５ａが記憶する指の種類毎の操作の特徴を示す情報を、指の種類毎にバス８０を介して読み出す。次に、種類検出部３２は、取得した接触状態を示す情報と、読み出した指の種類毎の操作の特徴を示す情報とを比較して、接触状態と一致する指の種類を検索する。次に、種類検出部３２は、検索した接触状態と一致する指の種類を、第２面１０２を把持する指の種類として検出する。種類検出部３２は、この処理を接触センサ３４の複数の出力毎に行い、複数の操作領域３６を操作する複数の指の種類をそれぞれ検出する。
【００４１】
数検出部３３は、操作検出部３０が備える接触センサ３４の出力に基づいて、操作領域３６を操作する指の数を検出する。具体的には、数検出部３３は、操作検出部３０の接触センサ３４が検出した第２表示面１１２における接触状態を示す情報を、バス８０を介して取得する。次に、数検出部３３は、取得した接触状態を示す情報に基づいて、操作領域３６を操作する指の数を検出する。
【００４２】
制御部５０ａは、位置設定部５４と、種類設定部５５とを備えている。
位置設定部５４は、位置検出部３１が検出した第２面１０２を把持する複数の指の位置に基づいて、複数の操作領域３６の位置をそれぞれ設定する。具体的には、位置設定部５４は、位置検出部３１が検出した第２面１０２を把持する複数の指の位置を示す情報を、バス８０を介して取得する。次に、位置設定部５４は、取得した指の位置を示す情報に基づいて、第２面１０２を把持する指の位置を判定し、判定した指の位置に対応する位置に操作領域３６の位置を設定する。
【００４３】
種類設定部５５は、種類検出部３２が検出した複数の操作領域３６を操作する指の種類に基づいて、操作領域３６に割り当てる操作の種類を設定する。具体的には、種類設定部５５は、種類検出部３２が検出した複数の操作領域３６を操作する指の種類を示す情報を、バス８０を介して取得する。次に、種類設定部５５は、取得した操作領域３６を操作する指の種類を示す情報に基づいて、操作領域３６に割り当てる操作の種類を設定する。ここで、操作領域３６に割り当てる操作の種類には、上述した、日本語をローマ字入力する際の子音及び母音等の入力操作の他に、入力モードを切り替える入力操作や、四則演算“＋”、“−”、“×”、“÷”の演算指示を行う入力操作などがある。
【００４４】
また、種類設定部５５は、数検出部３３が検出した操作領域３６を操作する指の数に基づいて、操作領域３６に割り当てる操作の種類を設定する。具体的には、種類設定部５５は、数検出部３３が検出した操作領域３６を操作する指の数を、バス８０を介して取得する。次に、種類設定部５５は、操作する指の数に応じて予め定められている操作の種類のうちから、取得した操作領域３６を操作する指の数に応じた操作の種類を選択することにより、操作領域３６に割り当てる操作の種類を設定する。
【００４５】
以上説明したように、電子機器１ａは、位置検出部３１と、位置設定部５４とを備えている。この位置検出部３１は、第２面１０２を把持する複数の指の位置をそれぞれ検出する。また、位置設定部５４は、位置検出部３１が検出した第２面１０２を把持する複数の指の位置に基づいて、複数の操作領域３６の位置をそれぞれ設定する。これにより、電子機器１ａは、第２面１０２（つまり、第１面１０１の裏面）の操作検出部３０の位置を、操作者が操作しやすい位置に設定することができる。
【００４６】
また、電子機器１ａは、種類検出部３２と、種類設定部５５とを備えている。この種類検出部３２は、複数の操作領域３６を操作する複数の指の種類をそれぞれ検出する。また、種類設定部５５は、種類検出部３２が検出した複数の操作領域３６を操作する指の種類に基づいて、操作領域３６に割り当てる操作の種類を設定する。これにより、電子機器１ａは、操作頻度の高い種類の操作を、操作しやすい指の種類（例えば、人差し指）に割り当てるとともに、操作頻度の低い種類の操作を、操作しにくい指の種類（例えば、小指）に割り当てることができる。
【００４７】
また、電子機器１ａは、操作領域３６を操作する指の数を検出する数検出部３３を備えている。この場合、種類設定部５５は、数検出部３３が検出した操作領域３６を操作する指の数に基づいて、操作領域３６に割り当てる操作の種類を設定する。これにより、電子機器１ａは、操作領域３６を操作する指の数の数が多い場合には、割り当てる操作の種類を増加させ、操作領域３６を操作する指の数の数が少ない場合には、割り当てる操作の種類を減少させることができる。つまり、電子機器１ａは、操作者が、操作領域３６を操作する指の数を増減させることによって、操作可能な操作の種類を設定することができる。したがって、電子機器１ａは、操作領域３６を操作者が操作しやすいように設定することができる。
【００４８】
なお、上述した各実施形態において、互いに表裏の位置関係に表示面と操作面とが配置されている電子機器（この電子機器とは、電子機器１または電子機器１ａである。）を例として説明したが、これに限られるものではない。つまり、電子機器は、１つの表示部２０を備える構成に限られるものではなく、２つ以上の複数の表示部を備えている構成であってもよい。
【００４９】
例えば、電子機器は、互いに表裏の位置関係に配置されている第１面１０１と第２面１０２との両面に表示部が配置されていてもよい。この構成によっても、電子機器は、第２面１０２（つまり、第１面１０１の裏面）の操作検出部３０の位置を、第１面１０１に表示することができる。つまり、電子機器は、裏面の検出部の位置を操作者にとってわかりやすくすることができる。
【００５０】
また、上述した各実施形態において、電子機器を１人の操作者が操作する場合を例として説明したが、これに限られるものではない。例えば、電子機器は、複数の操作者の操作を検出することによって動作してもよい。また、この場合に、電子機器は、電子機器を挟んで対面する複数の操作者の操作を検出することによって動作してもよい。これにより、電子機器は、操作者から見て反対面の検出部の位置を、複数の操作者に対してもわかりやすくすることができる。
【００５１】
また、上述した各実施形態において、電子機器は、ローマ字入力または計算入力の場合例として説明したが、これに限られるものではない。例えば、電子機器は、文字入力において、文字体系における一定則に基づいて配置される表示領域３５と操作領域３６とを備えていてもよい。ここで、文字体系における一定則には、例えば、漢字における”へん”や”つくり”、ひらがなにおける濁点や半濁点、および韓国語やタイ語などにおける、漢字の”へん”や”つくり”に対応する字母要素が含まれる。
【００５２】
また、電子機器は、互いに異なる３面以上の複数の面により構成され、複数の面それぞれに撮像部１０、表示部２０または操作検出部３０を備えている構成としてもよい。この構成による電子機器は、例えば、複数の面それぞれに備えられている操作検出部３０に対する操作者の操作を検出して、電子機器を制御してもよい。
【００５３】
なお、上記実施形態において、電子機器が、表示部２０の表示面上における接触状態を検出する接触センサ３４を備えている例について説明したが、表示面上における接触状態を検出する構成に代えて、第２面１０２（第２筐体面）における接触状態を検出する構成としてもよい。ここでいう第２面１０２（第２筐体面）とは、第２面１０２の領域のうち、操作検出部３０の領域以外の領域であってもよいし、または、第２面１０２の領域のうち、操作検出部３０の領域と操作検出部３０の領域以外の領域との両方を含む領域であってもよい。
【００５４】
なお、表示部２０は、液晶表示パネル有するものに限られものではなく、例えば、有機ＥＬ（Electro-Luminescence）パネル、電子ペーパー方式の表示パネル等、その他の表示パネルを有するものであってもよい。また、この表示部２０は、形状が可変であるフレキシブル表示パネルを有していてもよい。また、表示部２０は、平面フレキシブル表示パネル、円筒型フレキシブル表示パネル、または、円錐型フレキシブル表示パネルを有していてもよい。
【００５５】
また、上記実施形態の電子機器を備えている装置に本発明を適することができる。ここで、装置とは、携帯情報端末、タブレット型コンピュータ、携帯電話、電子辞書、電子書籍リーダ等、表示装置を備えている電子機器全般をいう。
【００５６】
なお、上記の実施形態における制御部５０（または、制御部５０ａ）及び、この制御部５０（または、制御部５０ａ）が備える各部は、専用のハードウェアにより実現されるものであってもよく、また、メモリおよびマイクロプロセッサにより実現させるものであってもよい。
【００５７】
なお、この制御部５０（または、制御部５０ａ）が備える各部は、メモリおよびＣＰＵ（中央演算装置）により構成され、制御部５０（または、制御部５０ａ）が備える各部の機能を実現するためのプログラムをメモリにロードして実行することによりその機能を実現させるものであってもよい。
【００５８】
また、制御部５０（または、制御部５０ａ）が備える各部の機能を実現するためのプログラムをコンピュータ読み取り可能な記録媒体に記録して、この記録媒体に記録されたプログラムをコンピュータシステムに読み込ませ、実行することにより、制御部５０（または、制御部５０ａ）が備える各部による処理を行ってもよい。なお、ここでいう「コンピュータシステム」とは、ＯＳや周辺機器等のハードウェアを含むものとする。
【００５９】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【００６０】
以上、本発明の実施形態を図面を参照して詳述してきたが、具体的な構成はこの実施形態に限られるものではなく、本発明の趣旨を逸脱しない範囲で適宜変更を加えることができる。
【符号の説明】
【００６１】
１、１ａ…電子機器、５、５ａ…記憶部、２０…表示部、３０…操作検出部、３１…位置検出部、３２…種類検出部、３３…数検出部、５０、５０ａ…制御部、５４…位置設定部、５５…種類設定部、１０１…第１面、１０２…第２面、１１１…表示面
【図１】
2014164643.tif 000003
【図２】
2014164643.tif 000004
【図３】
2014164643.tif 000005
【図４】
2014164643.tif 000006
【図５】
2014164643.tif 000007
【図６】
2014164643.tif 000008
【図７】
2014164643.tif 000009
【図８】
2014164643.tif 000010